(57)【要約】【課題】  簡単な構成で、しかも容易に設置可能な電力線搬送信号入出力装置の提供。【解決手段】  電力線搬送信号入出力装置１は、第１ケース部材１０と第２ケース部材２０とを備えた分割型ケースと、共に磁性体からなる第１コア部材５０と第２コア部材６０とを備え、第１コア部材５０と第２コア部材６０とが所定の面当接をなしたときに電力線を挿通させる貫通孔３ａを提供する管状体をなす分割型コアとを備えている。第１ケース部材１０と第２ケース部材２０は、所定の結合状態において、分割型コアを収容するコア収容部１６、２６と、信号取出線の一部を収容する信号取出線収容部１７と、コア収容部１６、２６と分割型ケースの外部とを連通し、互いに対向する位置に形成された１対の電力線用孔と、信号取出線収容部１７と分割型ケースの外部とを連通する信号取出線用孔とを提供するように形成されている。【選択図】  図３
2006005888.tif 000002
【特許請求の範囲】
【請求項１】
電力線に搬送される信号を、該電力線の近傍に設けた信号取出線により入出力するために用いる電力線搬送信号入出力装置であって、
該電力線搬送信号入出力装置は、第１ケース部材と第２ケース部材とを備えた分割型ケースと、
共に磁性体からなる第１コア部材と第２コア部材とを備え、該第１コア部材と該第２コア部材とが所定の面当接をなしたときに該電力線を挿通させる貫通孔を提供する管状体をなす分割型コアとを備えており、
該第１ケース部材と該第２ケース部材は、所定の結合状態において、該分割型コアを収容するコア収容部と、該信号取出線の一部を収容する信号取出線収容部と、該コア収容部と該分割型ケースの外部とを連通し、互いに対向する位置に形成された１対の電力線用孔と、該信号取出線収容部と該分割型ケースの外部とを連通する少なくとも１個の信号取出線用孔と、を提供するように形成されており、該所定の結合状態において、該一対の電力線用孔は、該貫通孔の開口端付近に位置して該電力線を貫通させることを特徴とする電力線搬送信号入出力装置。
【請求項２】
該貫通孔の中心は、該一対の電力線用孔の中心に対して、該コア収容部から該信号取出線収容部へ向かう方向に偏芯していることを特徴とする請求項１記載の電力線搬送信号入出力装置。
【請求項３】
該第１ケース部材および該第２ケース部材は、それぞれ第１押圧部および第２押圧部を備え、
該第１押圧部および該第２押圧部は、該所定の結合状態において、該コア収容部を挟んで互いに対向して位置し、それぞれ該第１コア部材および該第２コア部材を互いに押し付け合う方向に押圧し、もって該所定の面当接を維持することを特徴とする請求項１又は２記載の電力線搬送信号入出力装置。
【請求項４】
該第１ケース部材および該第２ケース部材は、それぞれ該第１コア部材および該第２コア部材をそれぞれの所定位置に係止する係止部を備えていることを特徴とする請求項１から３の何れか一記載の電力線搬送信号入出力装置。
【請求項５】
該第１ケース部材および該第２ケース部材のうち少なくとも何れか一方は、該信号取出線の一部を該信号取出線収容部内の所定位置に保持するための信号取出線保持部材を備えていることを特徴とする請求項１から４の何れか一記載の電力線搬送信号入出力装置。
【請求項６】
該分割型ケースは、該第１ケース部材と該第２ケース部材とを係止するケース係止部を有し、もって該所定の結合状態を維持することを特徴とする請求項１から５の何れか一記載の電力線搬送信号入出力装置。
【請求項７】
該分割型ケースは、該第１ケース部材と該第２ケース部材とを遥動可能に保持するヒンジ部を備えていることを特徴とする請求項１から６の何れか一記載の電力線搬送信号入出力装置。
【請求項８】
該分割型ケースは、該分割型ケースを該電力線に対して所望の位置に保持するためのバンドを保持するバンド保持部を備えていることを特徴とする請求項１から７の何れか一記載の電力線搬送信号入出力装置。
【発明の詳細な説明】
【技術分野】
【０００１】
本発明は、電力線搬送信号入出力装置に関し、特に新たな配線工事を必要とせずに設置可能な電力線搬送信号入出力装置に関する。
【背景技術】
【０００２】
伝送路として電話線や光ファイバー等の代わりに電力供給用の電力線を使用し、商用電源に搬送波を重畳させてデータ通信等を行う電力線通信技術が実用化されている。かかる通信技術によれば各家庭や事業所に引き込まれた電力線を活用できるため、新たな通信線を敷設すること無く効率的なネットワークの構築が可能である。
【０００３】
上記電力線通信に用いる装置として、例えば特許文献１には、電力線の途中に円筒形の磁性体とループ状の通信線を設置することにより、電力線搬送信号の入出力を行う入出力回路が開示されている。また同文献には、より簡便に設置を行うために２分割された磁性体を用いた例も示されている。
【特許文献１】特開２００４−３２５８５号公報
【発明の開示】
【発明が解決しようとする課題】
【０００４】
しかしながら、特許文献１では入出力回路は示されているものの、電力線に磁性体及び通信線を設置するための具体的な構造は開示されていない。
【０００５】
そこで本発明は、簡単な構成で、しかも容易に設置可能な電力線搬送信号入出力装置を提供することを目的とする。
【課題を解決するための手段】
【０００６】
上記目的を達成するために、本発明は、電力線に搬送される信号を、該電力線の近傍に設けた信号取出線により入出力するために用いる電力線搬送信号入出力装置を提供している。該電力線搬送信号入出力装置は、第１ケース部材と第２ケース部材とを備えた分割型ケースと、共に磁性体からなる第１コア部材と第２コア部材とを備え、該第１コア部材と該第２コア部材とが所定の面当接をなしたときに該電力線を挿通させる貫通孔を提供する管状体をなす分割型コアとを備えている。該第１ケース部材と該第２ケース部材は、所定の結合状態において、該分割型コアを収容するコア収容部と、該信号取出線の一部を収容する信号取出線収容部と、該コア収容部と該分割型ケースの外部とを連通し、互いに対向する位置に形成された１対の電力線用孔と、該信号取出線収容部と該分割型ケースの外部とを連通する少なくとも１個の信号取出線用孔と、を提供するように形成されている。該所定の結合状態において、該一対の電力線用孔は、該貫通孔の開口端付近に位置して該電力線を貫通させる。
【０００７】
かかる電力線搬送信号入出力装置によれば、分割型ケースを用いることによって簡単な構成で電力線搬送信号入出力装置を提供することができる。また、本電力線搬送信号入出力装置には、分割型のケース及び分割型のコアを用いているため、電力線の途中部分に容易に設置可能である。更に、該分割型ケースによってコア収容部及び信号取出線収容部が提供されているため、分割型コア及び信号取出線の一部をケース内の所定の位置に確実に収容することができる。
【０００８】
ここで、該貫通孔の中心は、該一対の電力線用孔の中心に対して、該コア収容部から該信号取出線収容部へ向かう方向に偏芯しているのが好ましい。かかる電力線搬送信号入出力装置によれば、分割型コアの貫通孔内に信号取出線のための空間が確保される。よって、信号取出線と電力線を離間することができるため、接触による断線やショートを防止できる。
【０００９】
また、該第１ケース部材及び該第２ケース部材は、それぞれ第１押圧部及び第２押圧部を備え、該第１押圧部及び該第２押圧部は、該所定の結合状態において、該コア収容部を挟んで互いに対向して位置し、それぞれ該第１コア部材及び該第２コア部材を互いに押し付け合う方向に押圧し、もって該所定の面当接を維持するのが好ましい。かかる電力線搬送信号入出力装置によれば、第１コア部材と該第２コア部材とは互いに押し付けられるため、所定の面当接を確実に維持することができる。したがって、コア面同士が密接していないことによるコアの特性の悪化を防止することができる。
【００１０】
また、該第１ケース部材及び該第２ケース部材は、それぞれ該第１コア部材及び該第２コア部材をそれぞれの所定位置に係止する係止部を備えているのが好ましい。かかる電力線搬送信号入出力装置によれば、第１コア部材及び第２コア部材は、それぞれ第１ケース部材及び第２ケース部材の所定位置に確実に係止される。よって、部材同士がばらばらになってしまうことがなく、取扱いに便利である。また、第１ケース部材及び第２ケース部材が所定の結合状態に置かれた場合には、第１コア部材及び第２コア部材は所定位置において正確に面当接される。
【００１１】
更に、該第１ケース部材及び該第２ケース部材のうち少なくとも何れか一方は、該信号取出線の一部を該信号取出線収容部内の所定位置に保持するための信号取出線保持部材を備えているのが好ましい。かかる電力線搬送信号入出力装置によれば、信号取出線を信号取出線収容部に確実に保持することができる。
【００１２】
また、該分割型ケースは、該第１ケース部材と該第２ケース部材とを係止するケース係止部を有し、もって該所定の結合状態を維持するのが好ましい。かかる電力線搬送信号入出力装置によれば、第１ケース部材と第２ケース部材とが確実に固定され、所定の結合状態を維持することができる。
【００１３】
また、該分割型ケースは、該第１ケース部材と該第２ケース部材とを遥動可能に保持するヒンジ部を備えているのが好ましい。かかる電力線搬送信号入出力装置によれば、第１ケース部材と第２ケース部材とがヒンジ部により接続されているため、装置の設置前においては取扱いが便利であり、また設置時においては第１ケース部材（第１コア部材）と第２ケース部材（第２コア部材）により電力線を挟み込むだけで容易に設置できる。
【００１４】
更に、該分割型ケースは、該分割型ケースを該電力線に対して所望の位置に保持するためのバンドを保持するバンド保持部を備えているのが好ましい。かかる電力線搬送信号入出力装置によれば、バンドをバンド保持部と電力線とに掛けることにより、電力線搬送信号入出力装置が所望の位置からずれることを防止できる。
【発明の効果】
【００１５】
本発明の電力線搬送信号入出力装置によれば、簡単な構成で、しかも容易に設置可能な電力線搬送信号入出力装置を提供することができる。
【発明を実施するための最良の形態】
【００１６】
第１の実施の形態による電力線搬送信号入出力装置について図１から図７までに基づき説明する。
【００１７】
図１に示されるように、第１の実施の形態による電力線搬送信号入出力装置１は、電力線８０を搬送される信号を、電磁誘導現象を利用することにより、電力線８０の近傍に設けた信号取出線９０を用いて入出力するために使用するものである。以下、電力線８０が延びる方向を軸方向という。
【００１８】
図２に示されるように、電力線搬送信号入出力装置１は、分割型ケース２と分割型コア３とから構成され、全体として分割タイプの構造を有している。分割型ケース２は、第１ケース部材１０と、第２ケース部材２０と、ヒンジ部３０とを備えている。ヒンジ部３０は、第１ケース部材１０と第２ケース部材２０とを遥動可能に保持するものである。分割型コア３は、共に磁性体からなる第１コア部材５０と第２コア部材６０とを備えている。第１コア部材５０と第２コア部材６０は、それぞれ第１ケース部材１０と第２ケース部材２０に保持されている。
【００１９】
かかる分割構造により、電力線搬送信号入出力装置１は、図１に示されるように分割型ケース２が閉じられた状態（以下、結合状態という。）と、図２に示されるように分割型ケース２が閉じられていない状態（以下、非結合状態という。）とを容易に変化させることができる。したがって、電力線搬送信号入出力装置１を電力線８０に容易に設置することができ、また電力線搬送信号入出力装置１に対して信号取出線９０を容易に装着することができる。
【００２０】
分割型ケース２について説明する。図１に示されるように、分割型ケース２は、第１ケース部材１０と第２ケース部材２０とが結合することにより、略円筒形状の基部２Ｋと軸方向に延びる凸状部２Ｔとを合わせたような形状をなしている。第２ケース部材２０は、略円筒形状の外周を規定する外周壁２０Ａ、軸方向に延びる凸状部を規定する凸状部壁２０Ｂ、軸方向端部を規定する軸方向端部壁２０Ｃ及び２０Ｄを有している。第１ケース部材１０も同様に、外周壁１０Ａ、凸状部壁１０Ｂ、軸方向端部壁１０Ｃ及び１０Ｄを有している。本実施の形態においては、分割型ケース２は、ナイロンやＰＢＴ（ポリブチレン・テレフタレート）等の樹脂により一体成型されている。
【００２１】
図３に示されるように、第１ケース部材１０の内部には、コア係止部材１１Ａ〜１１Ｄ及び仕切り壁１４が設けられている。コア係止部材１１Ａ〜１１Ｄと、仕切り壁１４と、外周壁１０Ａ（図１）とにより、第１コア部材５０を収容する空間である第１コア収容部１６が規定されている。同様に、第２ケース部材２０の内部には、コア係止部材２１Ａ〜２１Ｄ及び仕切り壁２４が設けられている。コア係止部材２１Ａ〜２１Ｄと、仕切り壁２４と、外周壁２０Ａ（図１）とにより、第２コア部材６０を収容する空間である第２コア収容部２６が規定されている。かかる構造により、結合状態（図１）においては、第１コア収容部１６と第２コア収容部２６とが一体となって、コア収容部が形成される。なお、結合状態においては、第１ケース部材１０の結合面１０ｊ（図３）と第２ケース部材２０の結合面２０ｊとが当接または近接する。
【００２２】
また、第１ケース部材１０には、断面視略Ｌ字状の信号取出線保持部材１３が、軸方向に沿って３個配設されている。信号取出線保持部材１３と仕切り壁１４と凸状部壁１０Ｂとによって、信号取出線９０の一部を収容するための空間である信号取出線収容部１７が規定されている。
【００２３】
第１ケース部材１０の軸方向端部壁１０Ｃ及び１０Ｄには、それぞれ半円状凹部１０ａ及び１０ｂが形成されている。同様に、第２ケース部材２０の軸方向端部壁２０Ｃ及び２０Ｄには、それぞれ半円状凹部２０ａ及び２０ｂが形成されている。したがって、結合状態においては、半円状凹部１０ａと２０ａ、１０ｂと２０ｂがそれぞれ一体となることにより、略円形状をなす１対の電力線用孔２ａ及び２ｂ（図１）が形成される。１対の電力線用孔２ａ及び２ｂは、軸方向に沿って互いに対向して位置し、コア収容部１６、２６と分割型ケース２の外部とを連通するように形成されている。
【００２４】
更に、図３に示されるように、第１ケース部材１０の軸方向端部壁１０Ｃには、信号取出線用凹部１０ｈが形成されている。第２ケース部材２０の軸方向端部壁２０Ｃには、信号取出線用凹部１０ｈと対応する位置に、面２０ｈが形成されている。このため結合状態においては、信号取出線用凹部１０ｈと面２０ｈとによって信号取出線用孔２ｃ（図１）が形成される。信号取出線用孔２ｃは、信号取出線収容部１７と分割型ケース２の外部とを連通するように形成されており、したがって、信号取出線収容部１７に収容される信号取出線９０の一部を分割型ケース２の外部へ取り出すことができる。
【００２５】
図３及び図５に示されるように、コア係止部材１１Ａ〜１１Ｄは、第１ケース部材１０の外周壁１０Ａの内側（コア収容部側）にそれぞれ立設されている。コア係止部材１１Ａ〜１１Ｄの先端には係止爪１１Ａ１〜１１Ｄ１が形成されている。係止爪１１Ａ１〜１１Ｄ１が第１コア部材５０の係止爪係合用凹部５３ａ〜５３ｄに係合することにより、第１コア部材５０の＋Ｚ方向（図３）の動きが規制される。よって、第１コア部材５０は第１ケース部材１０の所定位置に確実に係止される。第２ケース部材２０についても同様に、コア係止部材２１Ａ〜２１Ｄの係止爪が第２コア部材６０の係止爪係合用凹部６３ａ〜６３ｄに係合することにより、第２コア部材６０が第２ケース部材２０の所定位置に係止される。
【００２６】
ここで、分割型コア３について図３を参照して説明する。第１コア部材５０及び第２コア部材６０は、略円筒形状の磁性体を軸方向に沿って半分に切断した各部材である。第１コア部材５０は、当接面５１Ａ、５１Ｂと凹部面５２とを有しており、同様に、第２コア部材６０は、当接面６１Ａ、６１Ｂと凹部面６２とを有している。結合状態において、第１コア部材５０の当接面５１Ａ、５１Ｂは、それぞれ第２コア部材６０の当接面６１Ａ、６１Ｂと面当接する。このとき、第１コア部材５０の凹部面５２と第２コア部材６０の凹部面６２とにより、電力線８０を挿通させる貫通孔３ａが形成される。よって、分割型コア３は、結合状態において、略円筒形状又は管状体をなしている。このとき、分割型ケース２に形成される１対の電力線用孔２ａ及び２ｂ（図１）は、分割型コア３に形成される貫通孔３ａの両開口端付近に位置して、電力線８０を貫通させている。
【００２７】
また、第１コア部材５０の当接面５１Ａ、５１Ｂにおける軸方向両端部には、係止爪係合用凹部５３ａ〜５３ｄが形成されている。同様に、第２コア部材６０の当接面６１Ａ、６１Ｂにおける軸方向両端部には、係止爪係合用凹部６３ａ〜６３ｄが形成されている。
【００２８】
分割型コア３が磁性体コアとしての特性を十分に発揮するためには、結合状態において、第１コア部材５０の当接面５１Ａ、５１Ｂと、第２コア部材６０の当接面６１Ａ、６１Ｂとがそれぞれ密着していることが必要である。かかる密着状態を実現するために、分割型ケース２及び分割型コア３は以下のような構造を有している。
【００２９】
図４から図６までに示されるように、第１ケース部材１０及び第２ケース部材２０は、１対の第１押圧部１２及び１対の第２押圧部２２を備えている。１対の第１押圧部１２及び１対の第２押圧部２２は、結合状態（図１）においてコア収容部１６、２６を挟んで互いに対向する位置に形成されている。１対の第１押圧部１２は、外周壁１０Ａの中央付近に１対のＵ字状スリット１２ｈ（図４）を形成することにより形成される。各第１押圧部１２には、第１コア部材５０に当接して押圧するための押圧面１２ａが形成されている。図５及び図６に示されるように、各第１押圧部１２は、押圧面１２ａが外周壁１０Ａから第１コア収容部１６に向かって所定高さだけ突出するように形成されている。以上、１対の第１押圧部１２について説明したが、第２ケース部材２０に形成された１対の第２押圧部２２も同様の構造を有している。
【００３０】
一方、図３において、第１コア部材５０の当接面５１Ａ及び５１Ｂは、第１ケース部材１０の結合面１０ｊよりも僅かに高い位置（＋Ｚ方向）に位置している。すなわち、当接面５１Ａ及び５１Ｂは、結合面１０ｊと同じ高さにあるのではなく、結合面１０ｊに対して所定高さだけ突出している。同様に、第２コア部材６０の当接面６１Ａ及び６１Ｂも、第２ケース部材２０の結合面２０ｊに対して所定高さだけ突出している。
【００３１】
かかる構成によれば、第１ケース部材１０と第２ケース部材２０とを閉じよう（結合しよう）とすると、当接面５１Ａ、５１Ｂと当接面６１Ａ、６１Ｂは、突出している分だけ結合面１０ｊと２０ｊよりも先に当接する。それから更に、結合面１０ｊと結合面２０ｊとが当接または近接するまで第１ケース部材１０と第２ケース部材２０とを閉じる（結合させる）と、第１コア部材５０及び第２コア部材６０は、それぞれ１対の第１押圧部１２及び１対の第２押圧部２２を、コアの半径方向外側へ向かって押圧する。逆に、１対の第１押圧部１２及び１対の第２押圧部２２は、それぞれ第１コア部材５０及び第２コア部材６０を互いに押し付け合う方向に（コアの半径方向内側へ向かって）押圧する。したがって、当接面５１Ａ、５１Ｂと当接面６１Ａ、６１Ｂとの間において所定の面当接すなわち密着状態が維持される。よって、分割型コア３は磁性体コアとしての特性を十分に発揮することが可能である。
【００３２】
次に、図３及び図４に示されるように、第１ケース部材１０にはケース係止片１５が設けられている。また、第２ケース部材２０には、ケース係止孔２０ｃ（図４）が形成されている。結合状態（図１）においては、ケース係止片１５とケース係止孔２０ｃとが係合して、第１ケース部材１０と第２ケース部材２０とが結合される。すなわち、ケース係止片１５及びケース係止孔２０ｃにより、第１ケース部材１０と第２ケース部材２０とが確実に固定され、結合状態を維持することができる。
【００３３】
また、図３及び図４に示されるように、第１ケース部材１０の半円状凹部１０ｂの近傍には、バンド保持部１８が設けられている。バンド保持部１８にはバンド挿通孔１８ａが形成されており、バンド挿通孔１８ａにはバンド８５（図２）が挿通される。バンド８５をバンド保持部１８と電力線８０とに掛けることにより、分割型ケース２を電力線８０に対して所望の位置に保持することができる。
【００３４】
図２に示されるように、信号取出線９０は、巻回部９１及び接続端子９２を備えている。巻回部９１は、仕切り壁１４及び第１コア部材５０（当接面５１Ａの近傍）に巻き付けられるように巻回されている。したがって、巻回部９１の一部は信号取出線収容部１７に収容され、他の一部は貫通孔３ａ内の後述する空間３Ｓに収容されていることになる。巻回部９１の両端は、信号取出線用孔２ｃ付近で一本に束ねられ、接続端子９２に向かって延びている。接続端子９２はモデムなどの通信装置と接続するための端子である。前述のように、信号取出線収容部１７には信号取出線保持部材１３が設けられているので、巻回部９１が信号取出線収容部１７から外れにくくなっている。よって、巻回部９１を信号取出線収容部１７内の所定位置に保持することが可能である。
【００３５】
次に、分割型コア３の貫通孔３ａと、１対の電力線用孔２ａ及び２ｂとの位置関係について説明する。図４、図５及び図７において、分割型コア３の貫通孔３ａの中心を通る中心線を中心線Ｌ１とする。また、１対の電力線用孔２ａ及び２ｂの中心を通る中心線を中心線Ｌ２とする。つまり、中心線Ｌ２は電力線８０の中心線である。図４、図５及び図７に示されるように、中心線Ｌ１は、中心線Ｌ２に対して、信号取出線収容部１７に近づく方向にずれている。すなわち、分割型コア３の貫通孔３ａの中心は、一対の電力線用孔２ａ及び２ｂの中心（電力線８０の中心）に対して、コア収容部１６、２６から信号取出線収容部１７へ向かう方向に偏芯している。したがって、貫通孔３ａに電力線８０が挿通された状態において、貫通孔３ａ内部の信号取出線収容部１７に近い側には空間３Ｓ（図２）が確保される。そして、空間３Ｓを利用して信号取出線９０の巻回部９１が巻回されている。かかる構成によれば、信号取出線９０の巻回部９１と電力線８０とを離間することができるため、接触による断線やショートを防止できる。
【００３６】
以上説明した第１の実施の形態による電力線搬送信号入出力装置１によれば、分割型ケース２を用いることによって簡単な構成で電力線搬送信号入出力装置を提供することができる。また、電力線搬送信号入出力装置１においては、分割型ケース２及び分割型コア３を用いているため、新たな配線工事を必要とせずに、電力線８０の途中部分に容易に設置可能である。更に、分割型ケース２によってコア収容部１６、２６及び信号取出線収容部１７が提供されているため、分割型コア３及び信号取出線９０の一部をケース内の所定の位置に確実に収容することができる。
【００３７】
また、電力線搬送信号入出力装置１はコア係止部材１１Ａ〜１１Ｄ及びコア係止部材２１Ａ〜２１Ｄを備えているから、第１コア部材５０及び第２コア部材６０は、それぞれ第１ケース部材１０及び第２ケース部材２０の所定位置に確実に係止される。よって、部材同士がばらばらになってしまうことがなく、取扱いに便利である。また、第１ケース部材１０及び第２ケース部材２０が結合状態に置かれた場合には、第１コア部材５０及び第２コア部材６０は所定位置において正確に面当接される。
【００３８】
また、電力線搬送信号入出力装置１においては、第１ケース部材１０と第２ケース部材２０とがヒンジ部３０により接続されているため、装置１を電力線８０に設置する前においては取扱いが便利であり、また設置時においては第１ケース部材１０（第１コア部材５０）と第２ケース部材２０（第２コア部材６０）により電力線８０を挟み込むだけで容易に設置できる。
【００３９】
第２の実施の形態による電力線搬送信号入出力装置について図８及び図９に基づき説明する。第２の実施の形態による電力線搬送信号入出力装置１０１の構成は、基本的には、第１の実施の形態による電力線搬送信号入出力装置１と同様であるが、分割型ケースの形状が異なっている。
【００４０】
図８に示されるように、電力線搬送信号入出力装置１０１は、分割型ケース１０２と分割型コア１０３とから構成される。分割型ケース１０２は、第１ケース部材１１０と第２ケース部材１２０とを備えている。第１の実施の形態による分割型ケース２と異なり、分割型ケース１０２は略直方体の箱型形状をなすことを特徴とする。また、分割型コア１０３は、第１の実施の形態による分割型コア３と同様の形状を有しており、共に磁性体からなる第１コア部材１５０と第２コア部材１６０とを備えている。
【００４１】
図９に示されるように、第１ケース部材１１０は、側壁１１０Ａ及び１１０Ｂ、軸方向端部壁１１０Ｃ及び１１０Ｄ、及び、底部壁（図示せず）を備えている。また、第１ケース部材１１０の内部には、仕切り壁１１４Ａ〜１１４Ｃが立設されている。仕切り壁１１４Ａ〜１１４Ｃにより、第１コア部材１５０を収容するための空間である第１コア収容部１１６が規定されている。また、仕切り壁１１４Ａと第１ケース部材１１０の側壁１１０Ｂと底部壁（図示せず）とによって、信号取出線の一部を収容するための空間である信号取出線収容部１１７が規定されている。第２ケース部材１２０も同様の構造を有している。
【００４２】
第１の実施の形態における分割型ケース２の場合と同様に、第１ケース部材１１０の軸方向端部壁１１０Ｃ及び１１０Ｄ（図９）には、それぞれ半円状凹部１１０ａ及び１１０ｂ（図９）が形成され、第２ケース部材１２０の軸方向端部壁１２０Ｃ（図８）及び１２０Ｄ（図示せず）には、それぞれ半円状凹部１２０ａ（図８）及び１２０ｂ（図示せず）が形成されている。したがって、結合状態において、略円形状をなす１対の電力線用孔１０２ａ及び１０２ｂ（図９）が形成される。
【００４３】
更に、図８に示されるように、第１ケース部材１１０の軸方向端部壁１１０Ｃには凹部１１０ｈが形成されており、第２ケース部材１２０の軸方向端部壁１２０Ｃには凹部１１０ｈと対応する位置に凹部１２０ｈが形成されている。かかる凹部１１０ｈ及び１２０ｈによって、結合状態において信号取出線用孔１０２ｃが形成される。また、図９に示されるように、信号取出線収容部１１７を挟んで信号取出線用孔１０２ｃと対向する位置には、別の信号取出線用孔１０２ｄが形成される。このようにすれば、第１ケース部材１１０を対称線Ｃ１（図９）に関して左右対称に形成することができ、第１ケース部材１１０及び第２ケース部材１２０を共通形状とすることができる。したがって、第１ケース部材１１０及び第２ケース部材１２０を共通の型により成型することができるから製造上有利である。
【００４４】
また、第１の実施の形態と同様に、第１ケース部材１１０及び第２ケース部材１２０は、それぞれ１対の第１押圧部１１２（図９）及び１対の第２押圧部（図示せず）を備えている。各第１押圧部１１２には、第１コア部材１５０に当接して押圧するための押圧面１１２ａが形成されている。１対の第１押圧部１１２及び１対の第２押圧部（図示せず）は、結合状態において、第１コア部材１５０及び第２コア部材１６０を互いに押し付け合う方向に押圧するから、所定の面当接すなわち密着状態が維持される。なお、本実施の形態においては、第１ケース部材１１０と第２ケース部材１２０とは、フック、ねじ、接着剤、バンド、テープ等により結合される。
【００４５】
第２の実施の形態による分割型コア１０３について説明する。分割型コア１０３は、第１コア部材１５０及び第２コア部材１６０から構成され、第１の実施の形態における分割型コア３と同様の構造を有している。結合状態において、第１コア部材１５０の当接面１５１Ａ、１５１Ｂは、それぞれ第２コア部材１６０の当接面１６１Ａ、１６１Ｂと面当接する。このとき、第１コア部材１５０の凹部面１５２と第２コア部材１６０の凹部面１６２とにより、電力線を挿通させる貫通孔１０３ａが形成される。第１コア部材１５０の外周面の一部には、略平面の押圧部当接面１５１Ｃが形成されている。押圧部当接面１５１Ｃは略平面として形成されているから、１対の第１押圧部１１２の押圧面１１２ａと安定的に当接することができる。第２コア部材１６０も第１コア部材１５０と同様の形状を有している。
【００４６】
以上説明した第２の実施の形態による電力線搬送信号入出力装置１０１によれば、分割型ケース１０２は略直方体の箱型形状をなしているから、第１の実施の形態による電力線搬送信号入出力装置１よりも更に簡単な構成により電力線搬送信号入出力装置を提供することが可能である。また、第１ケース部材１１０と第２ケース部材１２０とを共通形状にできるため、第１ケース部材１１０及び第２ケース部材１２０を共通の型により成型することができ、製造コスト等の面で有利である。
【００４７】
本発明による電力線搬送信号入出力装置は上述した実施の形態に限定されず、特許請求の範囲に記載した範囲で種々の変形や改良が可能である。例えば、第１の実施の形態においては、ケース係止片１５とケース係止孔２０ｃ（図４）とが係合することにより、第１ケース部材１０と第２ケース部材２０とが係止され、結合状態が維持される。しかしながら、第１ケース部材１０と第２ケース部材２０とを結合する手段としては、フック、ねじ、接着剤、バンド、テープ等を用いても良い。また、ヒンジ部３０は必ずしも必要なく、他の結合手段を用いても良い。
【図面の簡単な説明】
【００４８】
【図１】第１の実施の形態による電力線搬送信号入出力装置に電力線及び信号取出線を装着した状態であって、分割型ケースが閉じられた状態（結合状態）を示す斜視図。
【図２】図１の電力線搬送信号入出力装置において、分割型ケースが閉じられていない状態（非結合状態）を示す斜視図。
【図３】第１の実施の形態による電力線搬送信号入出力装置（非結合状態）を示す斜視図。
【図４】第１の実施の形態による電力線搬送信号入出力装置に用いられる分割型ケース（非結合状態）の内部構造を示す平面図。
【図５】第１の実施の形態による電力線搬送信号入出力装置を示す、図４のＶ−Ｖ線に沿った断面図。
【図６】第１の実施の形態による電力線搬送信号入出力装置を示す、図４のＶＩ−ＶＩ線に沿った断面図。
【図７】第１の実施の形態による電力線搬送信号入出力装置を図１の矢印ＶＩＩ方向から見た側面図（ただし、電力線及び信号取出線は未装着の状態）。
【図８】第２の実施の形態による電力線搬送信号入出力装置における分割型ケース及び分割型コアを分解して示した分解側面図。
【図９】第２の実施の形態による電力線搬送信号入出力装置において、第１コア部材が第１ケース部材に収容された状態を示す平面図。
【符号の説明】
【００４９】
１・・・電力線搬送信号入出力装置、  ２・・・分割型ケース、  ２ａ・・・電力線用孔、  ２ｃ・・・信号取出線用孔、  ３・・・分割型コア、  ３ａ・・・貫通孔、  ３Ｓ・・・空間、  １０・・・第１ケース部材、  １０ａ、１０ｂ・・・半円状凹部、  １０ｈ・・・信号取出線用凹部、  １０ｊ・・・結合面、  １０Ａ・・・外周壁、  １０Ｂ・・・凸状部壁、  １０Ｃ、１０Ｄ・・・軸方向端部壁、  １１Ａ〜１１Ｄ・・・コア係止部材、  １１Ａ１〜１１Ｄ１・・・係止爪、  １２・・・第１押圧部、  １２ａ・・・押圧面、  １２ｈ・・・Ｕ字状スリット、  １３・・・信号取出線保持部材、  １４・・・仕切り壁、  １５・・・ケース係止片、  １６・・・第１コア収容部、  １７・・・信号取出線収容部、  １８・・・バンド保持部、  １８ａ・・・バンド挿通孔、  ２０・・・第２ケース部材、  ２０ａ・・・半円状凹部、  ２０ｃ・・・ケース係止孔、  ２０ｈ・・・面、  ２０ｊ・・・結合面、  ２０Ａ・・・外周壁、  ２０Ｂ・・・凸状部壁、  ２０Ｃ・・・軸方向端部壁、  ２１Ａ〜２１Ｄ・・・コア係止部材、  ２２・・・第２押圧部、  ２４・・・仕切り壁、  ２６・・・第２コア収容部、  ３０・・・ヒンジ部、  ５０・・・第１コア部材、  ５１Ａ、５１Ｂ・・・当接面、  ５２・・・凹部面、  ５３ａ〜５３ｄ・・・ 係止爪係合用凹部、  ６０・・・第２コア部材、  ６１Ａ、６１Ｂ・・・当接面、  ６２・・・凹部面、  ６３ａ〜６３ｄ・・・係止爪係合用凹部、  ８０・・・電力線、  ８５・・・バンド、  ９０・・・信号取出線、  ９１・・・巻回部、  ９２・・・接続端子、  １０１・・・電力線搬送信号入出力装置、  １０２・・・分割型ケース、  １０２ａ・・・電力線用孔、  １０２ｃ、１０２ｄ・・・信号取出線用孔、  １０３・・・分割型コア、  １０３ａ・・・貫通孔、  １１０・・・第１ケース部材、  １１０ａ・・・半円状凹部、  １１０ｈ・・・凹部、  １１０Ａ、１１０Ｂ・・・側壁、  １１０Ｃ・・・軸方向端部壁、  １１２・・・押圧部、  １１２ａ・・・押圧面、  １１４Ａ〜１１４Ｃ・・・仕切り壁、  １１６・・・第１コア収容部、  １１７・・・信号取出線収容部、  １２０・・・第２ケース部材、  １２０ａ・・・半円状凹部、  １２０ｈ・・・凹部、  １２０Ｃ・・・軸方向端部壁、  １５０・・・第１コア部材、  １５１Ａ・・・当接面、  １５１Ｃ・・・押圧部当接面、  １５２・・・凹部面、  １６０・・・第２コア部材、  １６１Ａ・・・当接面、  １６２・・・凹部面。
【図１】
2006005888.tif 000003
【図２】
2006005888.tif 000004
【図３】
2006005888.tif 000005
【図４】
2006005888.tif 000006
【図５】
2006005888.tif 000007
【図６】
2006005888.tif 000008
【図７】
2006005888.tif 000009
【図８】
2006005888.tif 000010
【図９】
2006005888.tif 000011